(57)【要約】　　　（修正有）【課題】パチンコ機やパチスロ機は遊技場では営業中、電源を常にＯＮにしたままで営業を行う為、電力の無駄な消費になり地球の温暖化にもつながり頭を悩まされていた。そこで、この発明は遊技開始ボタンｂとセンサーｃを設け、遊技客が遊技を始める前に、遊技客がボタンｂを操作することにより電源がＯＮになり、遊技客が遊技を終えた後は、時間設定が可能なセンサーｃの働きで遊技機の電源をＯＦＦにする。電力の無駄な消費を完全になくし、温度の上昇を防ぎ問題化されている地球の温暖化を考慮し、環境に良い地球にやさしいパチンコ機やパチスロ機を提供する。【解決手段】本体ａに遊技を始める前に、遊技客が操作する遊技開始ボタンｂと遊技客が遊技を終えた後に、感知するセンサーｃを設ける。遊技開始ボタンｂとセンサーｃは例えば四角形状のｂとｃである。【選択図】図１
2004008306.tif 000002
【特許請求の範囲】
【請求項１】
パチンコ機やパチスロ機に遊技客が遊技を始める前に操作する遊技開始ボタンを設ける。遊技開始ボタンを操作することにより遊技機の電源がＯＮになる。遊技客が遊技を終えた後は、時間設定が可能なセンサーを設けたことにより、　遊技機の電源を常に完全なＯＦＦ状態にすることを特徴とする遊技機。
【請求項２】
問題化されている地球の温暖化を考慮し地球にやさしいパチンコ機やパチスロ機であることを特徴とする請求項１記載の遊技機。
【請求項３】
遊技客が遊技を始める前に遊技客が任意に遊技開始ボタンを操作することにより、遊技を始める手段として新しい操作性を備えたことを特徴とする請求項２記載の遊技機。
【請求項４】
遊技客が操作する遊技開始ボタンは遊技客が操作すると感知するものであることを特徴とする請求項３記載の遊技機。
【発明の詳細な説明】
【０００１】
【発明の属する技術分野】
この発明は、遊技機に用いる遊技客が遊技を始める前に操作する遊技開始ボタンまたは、遊技客が遊技機を離れた場合に電源がＯＦＦになるセンサーであり、パチンコ機やパチスロ機の形状に関する。
【０００２】
【従来の技術】
従来のパチンコ機やパチスロ機の形状は、図２に示すように遊技機の電源スイッチは、本体ａの裏面に電源スイッチｄが設けられたものである。
【０００３】
【発明が解決しようとする課題】
しかしながら、以上の従来技術によれば、電源スイッチは遊技機の裏面にあり遊技場では営業中は遊技機の電源を常にＯＮにして営業を行っていた為、電力の無駄な消費であった。
【０００４】
また、他の公報では人体を感知するものであり遊技者でない遊技観戦者等が着席し、遊技を行わない場合でも電源がＯＮになる為、完全に電力の無駄な消費を防ぐことはできないものである。
【０００５】
また、遊技者でない者が遊技機に残り玉がないか確認する場合、ハンドルを握って玉を発射させようとするのでセンサーが感知して電源がＯＮになる不都合な点が生じる。
【０００６】
また、完全に遊技機を電源ＯＦＦ状態にすると遊技客に対し誤解や違和感を感じさせる為、電力を低減するものである。
【０００７】
そこで、この発明は、遊技を始める手段として新しい操作性を備え遊技機に遊技客が遊技を始める前に操作する遊技開始ボタンを設ける。
【０００８】
このボタンを遊技客が操作することにより遊技機の電源がＯＮになるものである。
【０００９】
遊技を始める手段として新しい操作性を備えることにより、遊技機が電源ＯＦＦ状態であることを遊技客に対し誤解や違和感を感じさせないものである。
【００１０】
また、遊技客が遊技を終えた後は、時間設定が可能な電源をＯＦＦにするセンサーを設けることにより、遊技客が遊技をしていない場合は遊技機の電源が常に、ＯＦＦ状態になり電力の無駄な消費を完全になくし、問題化されている地球の温暖化を考慮し、地球にやさしいパチンコ機やパチスロ機を提供することを課題とする。
【００１１】
【課題を解決するための手段】
以上の課題を解決するために、請求項１の発明は、パチンコ機やパチスロ機に遊技客が遊技を始める前に操作する遊技開始ボタンを設ける。
【００１２】
遊技開始ボタンを操作することにより遊技機の電源がＯＮになる。
【００１３】
遊技客が遊技を終えた後は、時間設定が可能なセンサーを設けたことにより、遊技機の電源を常に完全なＯＦＦ状態にすることを特徴とする遊技機。
【００１４】
また、請求項２の発明は、問題化されている地球の温暖化を考慮し地球にやさしいパチンコ機やパチスロ機であることを特徴とする請求項１記載の遊技機。
【００１５】
また、請求項３の発明は、遊技客が遊技を始める前に遊技客が任意に遊技開始ボタンを操作することにより、遊技を始める手段として新しい操作性を備えたことを特徴とする請求項２記載の遊技機。
【００１６】
また、請求項４の発明は、遊技客が操作する遊技開始ボタンは遊技客が操作すると感知するものであることを特徴とする請求項３記載の遊技機。
【００１７】
【発明の実施の形態】
この発明の一実施形態を、図１に示す。
パチンコ機の本体ａは遊技機であり、この本体ａの正面には、遊技客が遊技を始める場合に操作する遊技開始ボタンｂと遊技客が遊技を終えた場合に感知するセンサーｃが設けられている。
【００１８】
この遊技開始ボタンｂを遊技客が操作することにより遊技機の電源がＯＮになるものである。
【００１９】
また、時間設定が可能なセンサーｃの働きで遊技客が遊技を終えた後は、遊技客が遊技機を離れてから電源がＯＦＦになるものである。
【００２０】
「実施形態の効果」
この実施形態によれば、遊技開始ボタンｂと、センサーｃの働きで、遊技客が遊技していない場合は常に電源がＯＦＦ状態であり完全に電力の無駄な消費をなくす。
【００２１】
したがって、地球の温度の上昇を防ぎ問題化されている地球の温暖化を考慮し、環境に良い、地球にやさしいパチンコ機やパチスロ機である。
【００２２】
「他の実施形態」
図１の実施形態では、遊技開始ボタンｂはボタンであったが、遊技客が手を触れると感知するものであればよい。
【００２３】
また、図１の実施形態では、電源がＯＦＦになるセンサーｃはセンサーであったが、パソコンのスクリーンセーバーに似たもののように、一定の時間を経過すると（時間は任意に設定できるものでもよい。）例えば、画面や絵柄等の停止時間、画面や絵柄等の連続同作動、パチンコ機ではスタートに入賞しない時間、パチスロ機ではコインを投入しない時間等を感知して電源がＯＦＦになるものでもよい。
【００２４】
また、図１の実施形態では、遊技開始ボタンｂとセンサーｃは本体ａ内の位置であったが、本体以外の別の位置でもよい。例えば、パチンコ島やパチスロ島と呼ばれるものである。
【００２５】
また、図１の実施形態では、本体ａはパチンコ機であったがパチスロ機または、ゲーム機等でもよい。
【００２６】
【発明の効果】
以上説明したように、この発明によれば、遊技機に遊技開始ボタンｂとセンサーｃを設けたので遊技場は営業中に稼動していない遊技機を常に電源ＯＦＦ状態にできる。
【００２７】
また、稼動していない遊技機の電源をＯＦＦにすることにより、電力の無駄な消費を完全になくすので、環境に良い地球にやさしい遊技機である。
【００２８】
また、遊技を始める手段として新しい操作性を備えたことにより、遊技機の電源がＯＦＦ状態であっても遊技客に対し誤解や違和感を感じさせない。
【００２９】
【図面の簡単な説明】
【図１】この発明の一実施形態を示す斜視図である。
【図２】従来技術を示す斜視図である。
【符号の説明】
ａ　パチンコ機本体　　　　　　　　ｂ　遊技開始ボタン
ｃ　センサー　　　　　　　　　　　ｄ　電源スイッチ
【図１】
2004008306.tif 000003
【図２】
2004008306.tif 000004